(57)【要約】      （修正有）【課題】布帛商品の陳列時に用いる吊り下げ具を提供する。【解決手段】一枚の紙で構成される布帛商品吊り下げ具であり、本体と本体下部の両側に設けた一対の帯部６、６’とからなる。本体の上部を下部に向かって折り、さらに帯部をそれぞれ折ると、本体と折った帯部とで、商品を係止するためのループとなり、このループ部分に商品を入れ込む。また、陳列棒に通すため、本体の折り重なった部分を連通するように二つの穴１２を設けてある。【選択図】図１
0003223442.tif 000002
【実用新案登録請求の範囲】
【請求項１】
本体と、
該本体の互いに向かい合う位置から両側に延びる一対の帯部とからなり、
前記帯部の反対側から前記帯部方向に前記本体を折るようになっていると共に、
該一対の帯部を前記本体の側部に沿って折ると、前記本体と該一対の帯部とで、商品を係止するためのループを作るように構成され、
前記本体の折り重なった部分を連通する二つの穴が設けられ、
かつ前記本体と前記帯部とが一枚の紙からなる、布帛商品吊り下げ具。
【請求項２】
本体と、
該本体の互いに向かい合う位置から両側に延びる一対の帯部とからなり、
該一対の帯部を前記本体の側部に沿って折ると、前記本体と該一対の帯部とで、商品を係止するためのループを作るように構成され、
前記帯部の反対側から前記帯部方向に前記本体を折ると、該折った部分がループ状になった前記帯部を覆うと共に、
前記本体の折り重なった部分を連通する二つの穴が設けられ、
かつ前記本体と前記帯部とが一枚の紙からなる、布帛商品吊り下げ具。
【請求項３】
前記帯部が、前記本体の下端から延びると共に、前記穴は前記本体の折り重なり部の上部に設けてあり、前記本体と前記帯部とを折ると、全体として長方形になることを特徴とする、請求項１または２に記載の布帛商品吊り下げ具。
【請求項４】
前記一対の帯部を折ると、該帯部の互いの先端が重なるようにしたことを特徴とする、請求項１〜３のいずれかに記載の布帛商品吊り下げ具。
【請求項５】
前記帯部の上辺を波型にすることを特徴とする、請求項１〜４のいずれかの布帛商品吊り下げ具。
【考案の詳細な説明】
【技術分野】
【０００１】
この考案は、布帛商品の陳列時に用いる吊り下げ具に関する。
【背景技術】
【０００２】
ハンカチ、コップ袋からネクタイに至るまで、布帛商品の陳列は、いわゆるフック陳列やハンガー陳列によることが多い。フック陳列では、例えばナイロン製のタグピンで商品とタグとを固定させ、これにポリ塩化ビニル製ハンガーフックを取り付けたりする。またタグには、ポリプロピレン製タグを用いることが多く行われている。ハンカチなどの薄手の商品の場合は、商品をポリエチレンやナイロンの袋に入れ、袋上部に穴を設けて陳列棒に吊り下げて陳列することもある。また、ネクタイなどは、プラスチックのハンガーを用いたハンガー陳列されることも多い。
【考案の概要】
【考案が解決しようとする課題】
【０００３】
このように、布帛商品の吊り下げ具にナイロンやプラスチック、ポリ塩化ビニルなどの合成樹脂を使用することは、地球環境保全の観点から問題である。最近ではごみの分別の意識が高まっているとは言え、紙類とこれらいわゆるプラごみとを分別することは手間であり、分別されずに廃棄されることも多い。    
また、タグピンを用いて商品を固定したりタグを取り付けることは、商品に傷をつけるだけではなく、これらの取り付けにも手間がかかる。
この考案の課題は、焼却可能な紙を用い、布帛商品を傷めることなく確実に把持できる、陳列用の吊り下げ具を提供することにある。
【課題を解決するための手段】
【０００４】
この考案の布帛商品吊り下げ具は、本体と、本体の互いに向かい合う位置から両側に延びる一対の帯部とからなり、帯部の反対側から帯部方向に本体を折るようになっていると共に、一対の帯部を本体の側部に沿って折ると、本体と一対の帯部とで、商品を係止するためのループを作るように構成され、本体の折り重なった部分を連通する二つの穴が設けられ、かつ本体と帯部とが一枚の紙からなっている。
【０００５】
好ましくは、帯部が、本体の下端から延びると共に、穴は本体の折り重なり部の上部に設けてあり、本体と帯部とを折ると、全体として長方形になる。
【０００６】
布帛商品を、吊り下げ具本体と本体両側から延びる一対の帯部とからなるループに挟み込み、商品を把持して吊り下げ可能にする。商品の挟み込みは、まず本体の上部を下部方向へ折った後に商品を本体に載置し、左右の帯部を折り込んでループを作るようにする。本体部分を折った後に商品を取り付けることで、本体部分に強度を持たせると共に、
陳列用の穴は本体を折り重ねた部分に設けてあるので、陳列棒への吊り下げ時に本体が破れたりする恐れがない。
なお、この考案では、布帛商品には靴下なども含む。
【０００７】
また、この考案の布帛商品吊り下げ具は、本体と本体の互いに向かい合う位置から両側に延びる一対の帯部とからなり、この一対の帯部を本体の側部に沿って折ると、本体と一対の帯部とで、商品を係止するためのループを作るように構成され、帯部の反対側から帯部方向に本体を折ると、この折った部分がループ状になった帯部を覆うと共に、本体の折り重なり部を連通する二つの穴が設けられた、一枚の紙からなるように構成されている。
【０００８】
この場合は、本体に商品を載置したのちに左右の帯部を折り込んで、本体と帯部とでループを作る、あるいは、あらかじめ作ったループに商品を入れ込む。そしてその後に本体の上部を下部方向へ折って、帯部を覆うようにする。商品を挟み込んだ帯部分に重ねるように本体の上部を折る場合は、帯部を見えなくすることができるので、すっきりと見た目が美しい陳列をすることができる。
【０００９】
この考案によると、商品はループ部分でしっかりと把持されるので、抜け落ちなどの心配が無い。この考案の吊り下げ具は、商品への取り付けが簡単で、しかもタグピンなどを用いないので、商品を傷つけることがない。
【００１０】
さらに本体には、本体の折り重なり部を連通する二つの穴を設けるので、本体を折った状態で陳列棒に通すことができる。
【００１１】
好ましくは、左右の帯部を折って帯部の互いの先端が重なるようにするので、この重なり部分をテープ止めや糊で固着する。
【００１２】
さらに好ましくは、帯部の上辺を波型にする。商品を係止する上側を波型とすれば、商品をさらにしっかりと把持できる。波型は例えば２、３個以上、あるいは連続するように設ける。
【図面の簡単な説明】
【００１３】
【図１】実施例の商品吊り下げ具の折りたたみ前の状態を示す図
【図２】実施例の商品吊り下げ具へのハンカチの取付けを説明する図
【図３】実施例の商品吊り下げ具にハンカチを取り付けた状態を示す斜視図
【図４】実施例の商品吊り下げ具へのハンカチの取付けを終了した状態を示す図
【図５】実施例の商品吊り下げ具の本体上部を折った後に複数枚のコップ袋を取付けた状態を示す図
【図６】変形例の商品吊り下げ具の折りたたみ前の状態を示す図
【考案を実施するための形態】
【００１４】
以下に、本願考案の最適実施例を示す。本願考案の実施に際しては、当業者の常識及び先行技術の開示に従い、実施例を適宜に変更できる。
【実施例】
【００１５】
図１〜５を用い、実施例の商品吊り下げ具を説明する。実施例の商品吊り下げ具２の折りたたみ前の状態を、図１に示す。図において、本体４は適度の強度、厚みを持つ紙でできており、本体４の下端には両側に帯部６，６’を設ける。帯部６と６’との横方向長さの合計（w1+w2）が本体４の幅Ｗよりも長くなるようにし、帯部６，６’の先端が重なるようにする。また縦方向長さＬ’は、実施例では本体４の縦方向長さＬの1/4としたが、これに限るものではもちろんなく、布帛商品のサイズや厚みなどに応じて適宜変更する。
【００１６】
図に示すように、本体４の折線１０に沿って本体４を二つ折りにし、本体４の側部に沿った折線８，８’で帯部６，６’を折って商品吊り下げ具２を組み立てる。実施例では、折線１０の位置は、本体４を二つ折りにしたときに本体４の上辺２０と下辺２２とが重なるようにした（図３参照）。
【００１７】
１２は、本体４を二つ折りにしたときの貫通穴である。この穴１２に、図示しない陳列棒を通して商品を陳列する。穴は、本体４の中央部分で、帯部６，６’と干渉しない位置に設け、折線１０からの距離は、商品の重み等で穴が多少広がっっても破れてしまうことがない程度とする。
なお、実施例では、帯部６，６’にそれぞれ切込み１４，１４’を設け、帯部６，６’の先端を重ね止めできるようにしたが、切込み１４，１４’を設けずに帯部６，６’の先端を互いにテープ止めや糊付けしても、もちろん良い。
【００１８】
図２を用い、縦方向二つ折りなどしたハンカチをセットする場合について説明する。なお、図２では説明の便宜上あらかじめ帯部６，６’を折った状態を示すが、通常はハンカチを本体４上に載置した後に帯部６，６’を折り込む方が商品のセットが容易である。この時、あらかじめ本体４の上部を手前帯側へ折っておき、それから載置したハンカチ１６上に帯部６，６’を折ってループを作るようにする。あるいは本体４上に載置したハンカチ１６上に帯部６，６’を折ってループを作った後に本体４の上部を帯部６，６’を覆うように折るようにしてもよい。この時、ハンカチ１６の長さの中央線１８辺りを帯部６，６’の上辺に架けるように位置決めすると、ハンカチ１６を安定して把持できる。
【００１９】
図３は、本体４の上部を下辺方向へと折った後に、中央線１８で二つ折りしたハンカチ１６を帯部６，６’で固定した状態を示す。２３は、帯部６，６’のそれぞれの先端の重なり部で、この部分で糊やテープで留めると、安定してハンカチ１６を把持できる。
【００２０】
実施例では、本体４の上辺２０と下辺２２とが重なる位置で二つ折りするようにし、  図４に示す、ハンカチ１６を吊り下げ具２に取り付け終了した状態で、図示しない陳列棒に穴１２を通してハンカチ１６を陳列する。このように、すっきりとした外観で商品を吊り下げることが可能になる。
【００２１】
ハンカチ以外の布帛商品についても、同様に吊り下げ具２に取り付けることができる。帯部６，６’と本体４とでループ状になっている部分に商品を入れ込むので、例えば厚みのある商品であっても安定して把持できる。
【００２２】
図５に、３枚のコップ袋を取り付けた場合を示す。通常、コップ袋の口にはコード紐が袋の口の周囲に通してあるため、厚みを持っている。コップ袋を重ねるとかなりの厚みとなるが、この場合も、まず本体４の上部を下方へ折ってから、袋の口の下部、すなわちコード紐より下の部分で帯部６，６’を止めるようにすると良い。コップ袋を重ねたような厚みのある商品の場合であっても、本体を折り重ねて強度を持たせて帯部で挟み込むようにすると、安定して商品を吊り陳列することができる。
【００２３】
図６に、変形例の吊り下げ具１２０を示す。変形例では、帯部６０，６０’の上辺に、連続した波型６２，６２’をそれぞれ設けた。この波型部分で布帛商品をさらに確実に把持できる。なお、波型６２，６２’の形状や個数は任意に決めることができる。
【００２４】
このように実施例の吊り下げ具によれば、紙による商品吊り下げ具であるため、地球環境に優しいという利点がある。またタグピンなどを使わなくても良いので、商品を損なう心配がない。さらに商品をしっかりと把持することができるので、商品が抜け落ちたり、滑り落ちたりすることがない。そして、構造が簡単であるので、取り付けが簡単で、購入者が商品を取り外す時も、はさみ等でタグピンを切る手間もなく、帯部を破ることで簡単に取り外すことができる。
【符号の説明】
【００２５】
２，１２０            所品吊り下げ具
４                    商品吊り下げ具の本体
６、６，６０，６０’  帯部
８，８’，１０        折線
１２                  穴
１４、１４’          切れ込み
１６                  ハンカチ
１８                  ハンカチの中央線
２０                  本体の上辺
２２                  本体の下辺
２３                  帯部先端の重なり部
２４                  コップ袋
６２，６２’          波型
【図１】
0003223442.tif 000003
【図２】
0003223442.tif 000004
【図３】
0003223442.tif 000005
【図４】
0003223442.tif 000006
【図５】
0003223442.tif 000007
【図６】
0003223442.tif 000008